(57)【特許請求の範囲】
【請求項１】
ロール状物の表皮をすくい上げながら移動するへらと、そのへらですくい上げた表皮を切断する回転刃とを備えたロール状物の表皮切断装置において、前記へらが、該へらの上面側に設けられ、切断すべき表皮をすくい上げ且つ切断後の表皮を両側に押し広げるよう傾斜した一対の案内面と、前記へらの下面側で且つ先端側に形成された平坦な底面と、該平坦な底面の後方で前記平坦な底面よりも高い位置に形成された退避面と、前記一対の案内面の中央に形成され、前記回転刃を位置させる溝を備え、該溝がへらを上下方向に貫通して形成されると共に少なくとも前記退避面の一部に開口していることを特徴とするロール状物の表皮切断装置。
【請求項２】
前記へらが先端に、厚さが０．５〜１．２ｍｍで、長さが５〜１５ｍｍの平坦な部分を有しており、前記へらを貫通する溝は、少なくとも前記平坦な部分の先端領域を避けて形成されていることを特徴とする請求項１記載のロール状物の表皮切断装置。
【発明の詳細な説明】
【０００１】
【発明の属する技術分野】
本発明は、ロール状物の表皮を切断するためのロール状物の表皮切断装置に関する。ここで、ロール状物とは、主として輪転印刷機に使われているロール紙であるが、それ以外にも、プラスチック、紙、金属、木等の素材、又はこれらの複合物より成るロール状物であってもよい。また、表皮とは、ロール紙を梱包している梱包材とか、ロール紙表層部の本紙とか、その両者等の、ロール状物の表層にある材料を意味する。
【０００２】
【従来の技術】
従来、梱包状態で入荷したロール紙から梱包材を除去するには、先ず、ロール紙の両端面部の梱包材を切断、除去し、次いで周面部の梱包材をロール紙軸線方向に切開し、除去する方法が取られている。そして、本出願人は先に、周面梱包材を（或いは周面梱包材とロール紙表層の副数枚とを）ロール紙軸線方向に切開するための装置を開発し、特許出願した（特開平８−４０４２６号）。この装置に使用している切断装置は、図２に示すように、ロール紙等のロール状物１の表皮２（梱包材のみ、或いは梱包材と表層本紙）をすくい上げながら移動するへら３と、そのへらですくい上げた表皮２を切断する回転刃４と、へら３及び回転刃４を保持してロール状物１に沿って走行させる手段（図示せず）、回転刃４を回転駆動する手段（図示せず）等を備えている。ここで用いるへら３は、図３に示すように、先端に薄い平坦な部分３ａを有し、その後ろに表皮をすくい上げ且つ切断後の表皮を両側に押し広げるよう傾斜した一対の案内面３ｂ、３ｂと、平坦な底面３ｃと、一対の案内面３ｂ、３ｂの間に形成され、回転刃４を位置させる溝３ｄを備えた構成である。この構成により、図２に示すように、へら３がロール状物１の切断すべき表皮２の内側に挿入され、表皮２を持ち上げながら、表皮の下の表面１ａ上を進行し、持ち上げた表皮２を回転刃４が切断することで、表皮２を良好に切開してゆくことができる。ここで、溝３ｄの幅は、回転刃４の厚さ（通常、０．５ｍｍ程度）よりも若干大きく、例えば、１．２ｍｍ程度に設定されていた。
【０００３】
【発明が解決しようとする課題】
ところが、この構成の切断装置にも更に改良すべき問題のあることが判明した。すなわち、へら３に形成している溝３ｄの形状を、回転刃４による表皮の切断に伴って生じた紙粉、紙屑等が回転刃４の回転によって回転刃４の後方で斜め上方に送り出されるような形状としているが、実際には紙粉、紙屑等が溝３ｄ内に蓄積されてゆき、ついには回転刃４に接触する位置にまで詰まってしまい、回転刃４が回転しなくなるという問題が生じた。このため、溝３ｄを頻繁に掃除しなければならず、面倒なメンテナンス作業が必要であった。
【０００４】
本発明はかかる問題点に鑑みてなされたもので、へらに形成している溝を掃除しなくても長期間に渡って、支障なく使用可能なロール状物の表皮切断装置を提供することを課題とする。
【０００５】
【課題を解決するための手段】
本発明は、溝内に紙粉、紙屑等が詰まることがないようにするため、溝をへらの上下方向に貫通した構造とし、しかも、へらの下面側には、へらの先端側に形成された平坦な底面と、該平坦な底面の後方で前記平坦な底面よりも高い位置に形成された退避面とを設け、前記溝が少なくとも前記退避面の一部に開口するように構成したものである。
【０００６】
【発明の実施の形態】
本発明の実施の形態に係るロール状物の表皮切断装置は、ロール状物の表皮をすくい上げながら移動するへらと、そのへらですくい上げた表皮を切断する回転刃とを備えており、そのへらが、該へらの上面側に設けられ、切断すべき表皮をすくい上げ且つ切断後の表皮を両側に押し広げるよう傾斜した一対の案内面と、前記へらの下面側で且つ先端側に形成された平坦な底面と、該平坦な底面の後方で前記平坦な底面よりも高い位置に形成された退避面と、前記一対の案内面の中央に形成され、前記回転刃を位置させる溝を備えた構成とし、更に、前記溝をへらを上下方向に貫通した形状とすると共に少なくとも前記退避面の一部に開口する構成としたものである。この構成により、へらが表皮をすくい上げながら進行し、すくい上げた表皮を回転刃が切断することで、表皮を良好に切断してゆくことができ、その際に紙粉、紙屑等が生じ、へらの溝内に入っても、溝が上下に貫通しているので、回転刃の回転によって上下に通り抜けて溝内に溜まることがなく、特に、へらの下面の退避面の下には紙粉、紙屑等を吹き出す空間が形成され、前記溝はその空間に通じているので、溝内の紙粉、紙屑等は支障なくこの空間内に吹き出され、溝内に紙粉、紙屑等が詰まって回転刃が回転できなくなるというようなトラブルを生じることがない。
【０００７】
ここで、前記へらが先端に、厚さが０．５〜１．２ｍｍで、長さが５〜１５ｍｍの平坦な部分を有しており、前記へらを貫通する溝が少なくとも前記平坦な部分の先端領域を避けて形成される構成とすることが好ましい。この構成とすると、へらが表皮をすくい上げながら進行する際に、へら先端の薄い平坦な部分が表皮とその内側の本紙等の間を良好に進行し、しかも、その平坦な部分がしなることによって、ロール状物にある小さい凹凸にも良好に追従することができ、表皮を突き破るとか、本紙を突き破るといったトラブルを回避できる。
【０００８】
【実施例】
図１は本発明の一実施例によるロール状物の表皮切断装置の主要部品を示すものである。なお、図２、図３に示す従来例と同一部分には同一符号を付している。この実施例の表皮切断装置も、ロール紙等のロール状物１の表皮（例えば、梱包材のみ、或いは梱包材と表層本紙等）をすくい上げながら移動するへら３Ａと、そのへら３Ａですくい上げた表皮を切断する回転刃４と、へら３Ａ及び回転刃４を保持してロール状物に沿って走行させる手段（図示せず）、回転刃４を回転駆動する手段（図示せず）等を備えている。ここで用いるへら３Ａは、先端に薄い平坦な部分３ａを有し、その後ろで上面側に表皮をすくい上げ且つ切断後の表皮を両側に押し広げるよう傾斜した一対の案内面３ｂ、３ｂと、へらの下面側で且つ先端側に形成された平坦な底面３ｃと、その後方で底面３ｃより高い位置に形成された退避面３ｅと、一対の案内面３ｂ、３ｂの間に形成され、回転刃４を位置させる溝３ｆを備えた構成である。この溝３ｆは従来とは異なり、へら３Ａを上下方向に貫通して且つ少なくとも退避面３ｅの一部に開口するように形成されている。溝３ｆは、少なくとも平坦な部分３ａの先端領域を避けて、好ましくは、平坦な部分３ａの後ろに形成されている。
【０００９】
へら３Ａに形成している平坦な部分３ａは、図２に示す場合と同様に、へら３Ａがロール状物１の表皮をすくい上げながら、その下の表面１ａ上を進行する際に、そのロール状物にある凹凸（表面１ａにある凹凸）に追従してしなることができるように設けたもので、通常、厚さが０．５〜１．２ｍｍで、長さが５〜１５ｍｍに選択される。また、その平坦な部分３ａの先端はロール状物を傷つけることがないよう、面取りしている。平坦な底面３ｃも、へら３Ａがロール状物の表皮をすくい上げながら進行する際に、そのロール状物にある凹凸に追従しながら安定して移動できるように設けたものであり、通常２０〜５０ｍｍの長さに作られる。この長さは短すぎるとロール状物の凹凸に対する追従性が悪くなり、長くなるとロール状物に対する摩擦抵抗が大きくなって好ましくなく、上記の範囲が好適である。退避面３ｅは、へら３Ａの下面全体がロール状物１の表面１ａに接触するのを避けるため、及び、表皮切断時に表皮除去後のロール状物の表面１ａとの間に紙粉、紙屑等を吹き出す空間８を形成するために設けている。底面３ｃと退避面３ｅの高さ方向の寸法ｈとしては、１〜３ｍｍ程度に選択することが好ましい。へら先端から溝３ｆの先端までの距離ｄは、へら先端の平坦な部分３ａが所望の作用を果たすことができるよう、ある程度大きく設定することが必要であり、１０〜１５ｍｍ程度に選択することが好ましい。また、溝３ｆの長さは、少なくとも溝３ｆが空間８に通じるように選択することが必要であり、通常、４０〜７０ｍｍ程度に選択される。溝３ｆの幅は、切断により生じる紙粉、紙屑等が溝内に詰まらないようにするため広くすることが好ましいが、あまり広くするとへらによる表皮のすくい上げ及び切断後の左右への押し広げが困難になる。
これらを考慮して、溝３ｆの幅は、厚さが０．５ｍｍの回転刃４を使用する場合において、３〜５ｍｍ程度に選択することが好ましい。へら３Ａを構成する材料としては、ナイロン等の合成樹脂、ゴム等の軟質材、ステンレス等の金属等を例示できる。
【００１０】
へら３Ａ及び回転刃４を保持してロール状物に沿って走行させる手段（図示せず）、回転刃４を回転駆動する手段（図示せず）等の構成は特に限定されず、例えば、特開平８−４０４２６号公報に記載のものを使用できる。
【００１１】
上記構成の切断装置においても、へら３Ａがロール状物の切断すべき表皮の内側を、表皮を持ち上げながら進行し、持ち上げた表皮を回転刃４が切断することで、表皮を良好に切開してゆくことができる。ここで、表皮切断時に紙粉、紙屑等が生じ、回転刃４によって溝３ｆ内に吹き飛ばされるが、溝３ｆが上下に貫通しているので、へら３Ａの上下に抜けて溝３ｆ内に詰まることがない。かくして、溝３ｆ内に紙粉、紙屑等が詰まって回転刃が回転できなくなるというようなトラブルを生じることがなく、長期間に渡って、溝掃除等の面倒なメンテナンス作業を行うことなく、使用することができる。
【００１２】
【発明の効果】
以上の説明から明らかなように、本発明は、へらに、回転刃を位置させるために形成している溝をへらの上下に貫通した構造とし、しかも、へらの下面側には、へらの先端側に形成された平坦な底面と、該平坦な底面の後方で前記平坦な底面よりも高い位置に形成された退避面とを設け、前記溝が少なくとも前記退避面の一部に開口するように構成したことにより、その溝内に紙粉、紙屑等が詰まることがなく、このため、長期間に渡って、溝掃除等の面倒のメンテナンス作業を行うことなく、良好に使用することができるという効果を有している。
【図面の簡単な説明】
【図１】（ａ）本発明の一実施例による表皮切断装置の主要部品の概略側面図
（ｂ）（ａ）に示す部品の概略断面図
（ｃ）へらの概略平面図
（ｄ）（ｃ）のＡ−Ａ矢視概略断面図
【図２】従来の表皮切断装置を、表皮切断中の状態で示す概略側面図
【図３】（ａ）従来の表皮切断装置の主要部品の概略側面図
（ｂ）（ａ）に示す部品の概略断面図
（ｃ）へらの概略平面図
（ｄ）（ｃ）のＢ−Ｂ矢視概略断面図
【符号の説明】
１  ロール状物
１ａ  ロール状物の表皮除去後の表面
２  表皮
３、３Ａ  へら
３ａ  平坦な部分
３ｂ  案内面
３ｃ  平坦な底面
３ｄ  溝
３ｅ  退避面
３ｆ  溝
４  回転刃
８  空間
【図１】
0004587600.tif 000002
【図２】
0004587600.tif 000003
【図３】
0004587600.tif 000004